【事件の表示】
　平成　４年特許願第３４７６０６号「薄膜トランジスタアレイ」拒絶査定に対する審判事件［平成　６年　７月２２日出願公開、特開平　６−２０２１５２］について、次のとおり審決する。
【結　論】
　本件審判の請求は、成り立たない。
【理　由】
１．手続の経緯、本願発明
　本願は、平成４年１２月２８日の出願であって、その請求項１〜４に係る発明は、平成１２年３月６日付け及び平成１２年８月３１日付けで提出された手続補正書により補正された明細書及び図面の記載からみて、その特許請求の範囲の請求項１〜４に各々記載されたとおりのものであるところ、そのうち請求項１に係る発明（以下、本願発明という）は次のとおりである。
　「【請求項１】基板上の、互いに交差させて配置した複数のアドレス配線と複数のデータ配線の各交差部に、薄膜トランジスタと、該薄膜トランジスタのソース電極とドレイン電極との何れか一方に接続された表示電極とがマトリックス状に複数配置され、前記薄膜トランジスタのゲート電極に前記アドレス配線が、ソース電極とドレイン電極の他方にデータ配線が夫々接続された薄膜トランジスタアレイにおいて、
（ａ）複数の表示電極を配列した表示領域の外側であって、且つ前記複数のアドレス配線の各アドレス配線端子及び前記複数のデータ配線の各データ配線端子より内側に形成された短絡用配線と、
（ｂ）該短絡用配線に前記複数のアドレス配線と前記複数のデータ配線とをそれぞれ接続するための非線形抵抗特性を持つ保護素子と、
（ｃ）前記基板の周辺近傍に位置し、前記複数のアドレス配線のみを相互に短絡するアドレス配線短絡導体帯と、
（ｄ）前記基板の周辺近傍に位置し、前記複数のデータ配線のみを相互に短絡するデータ配線短絡導体帯とを具備することを特徴とする薄膜トランジスタアレイ。」
２．引用刊行物に記載の発明
　これに対し、原審の拒絶の理由に引用された、本願出願前に頒布された刊行物である特開昭６３−８５５８６号公報、特開平３−２４９６２４号公報にはそれぞれ次のように記載されている。
特開昭６３−８５５８６号公報（以下、引用例１という）
　「第８図はこの様なアクティブマトリクス型表示装置の一例である液晶素表示装置について、スイッチング素子として薄膜トランジスタ（ＴＦＴ）を用いた場合の一画素部分の等価回路を示している。３１が薄膜トランジスタ、３２が液晶表示セルである。薄膜トランジスタ３１のゲートは行線Ａに接続され、ドレインは列線Ｓに接続されており、行線Ａで選ばれたタイミングで列線Ｓの画像信号が薄膜トランジスタ３１を通ってそのソースに接続された表示電極に伝達され、これにより液晶表示セル３２が駆動されるようになっている。
　ところで、この様アクティブマトリクス基板に用いられる薄膜トランジスタ等のスイッチング素子は、一般に静電気に弱く、製造、組立て工程中に静電気により破壊される虞れが大きい。このため従来は、第７図に示すように基板外周に短絡線ＧＬを巡らして、行線Ａおよび行線Ｓをこの短絡線ＧＬに全て短絡した状態で製造、組立てを行うのが一般的であった。そして組立てが完了した後、最終的には破線で示す切断線Ｅ１〜Ｅ４で基板を切断して各行線Ａおよび列線Ｓを分離して、外部回路との接続を行う。」（第２頁左上欄第７行〜右上欄第８行 ）
　「以上のように従来のアクティブマトリクス表示素子での静電気対策は、静電気対策用の短絡線を切離す際またはその後の静電気に対して不十分であった。本発明は、この様な問題を解決したアクティブマトリクス型表示装置を提供することを目的とする。」（第２頁右上欄第１８行〜左下欄第４行）
　「第１図は一実施例のアクティブマトリクス基板を示す。複数本の行線Ａ（Ａ１，Ａ２，…）と複数本の列線Ｓ（Ｓ１，Ｓ２，…）とが交差配設され、その各交点位置にスイッチング素子Ｃ（Ｃ１２，Ｃ１２，…）が設けられることは、従来と同じである。スイッチング素子Ｃは例えば薄膜トランジスタである。このアクティブマトリクス基板の外周には短絡線ＧＬが配設される。この短絡線ＧＬと各行線Ａおよび列線Ｓの間は抵抗体ｒを介して接続されている。短絡線ＧＬは製造、組立て後もそのまま残される。基板の組立て終了後は、破線で示す切断線Ｅ（Ｅ１，Ｅ２，…）で基板が切断される。」（第２頁右下欄第４行〜第１６行）
　「第５図は他の実施例のアクティブマトリクス基板を示す。・・・・行線および列線Ｓと短絡線ＧＬの間に、抵抗体ｒに代ってダイオード対Ｄを設けていることである。・・・・このようにインピーダンス素子としてダイオードを用いれば、外部駆動回路からの信号の短絡線ＧＬへのリークを少なくし、しかも静電気に対しては十分な保護機能を発揮することができる。」（第３頁右上欄第１２行〜左下欄第１７行）
　「以上述べたように本発明によれば、短絡線を、これと行線および列線の間にインピーダンス素子を接続してアクイブマトリクス基板組立て後も残しておくことにより、通常動作に影響を与えることなく、静電気対策を確実なものとすることができる。」（第３頁右下欄第５〜１０行）
　そして、第１図には、抵抗体ｒを介して行線および列線が短絡線に接続されているアクティブマトリクス基板の構成が、第５図には、抵抗体ｒの代りにダイオード対Ｄを用いたアクティブマトリクス基板の構成が、また第８図には、アクティブマトリクス基板を用いた液晶表示装置の一画素部の構成が示されている。
　以上の記載からすれば、引用例１には、「基板上の、互いに交差させて配置した複数の行線と複数の列線の各交点位置に薄膜トランジスタと、薄膜トランジスタのソースに接続された表示電極とがマトリクス状に複数配列され、薄膜トランジスタのゲートが行線と、ドレインが列線と接続され、短絡線と、短絡線に複数の行線と複数の列線とをそれぞれ接続するための保護機能を有するインピーダンス素子としてのダイオード対とを備えた薄膜トランジスタを用いたアクティブマトリクス基板」が記載されているものと認められる。
特開平３−２４９６２４号公報（以下、引用例２という）
　「透明基板の液晶表示部の外周囲の表面に配列された走査信号線および映像信号線の複数の外部端子と、前記外部端子のさらに外周囲の表面に設けられ、前記各走査信号線を短絡した第１の短絡配線および前記各映像信号線を短絡した第２の短絡配線と、前記第１および第２の短絡配線とが微小な間隙を隔てて接近している放電部と、前記間隙部に設けられ、前記第１および第２の短絡配線を接続する半導体層と、前記走査信号線および前記映像信号線を覆う保護膜とを有する液晶表示装置の製造方法において、前記保護膜を前記透明基板表面に堆積した後、前記保護膜を選択的に除去する工程と同一工程でまたはその工程の後、前記半導体層を除去して前記第１および第２の短絡配線の接続を解除する工程を有することを特徴とする液晶表示装置の製造方法。」（特許請求の範囲の請求項１）
　「本発明の目的は、液晶表示装置において、製造工程中の静電気破壊を防止すると共に、製造工程中に電気的特性検査を行うことが可能な技術を提供することにある。」（第２頁左下欄第１２〜１５行）
　「第１Ｂ図（液晶表示部の要部平面図）に、製造工程中に誘発される静電気による配線の破壊を防止するための、静電気破壊防止用配線（短絡配線）および放電部の様子を示す。・・・・第１Ｂ図において、ＧＰは下部透明ガラス基板ＳＵＢ１の表面に複数形成された走査信号線ＧＬの外部端子、ＤＰは映像信号線ＤＬの外部端子、ＧＳＷは各走査信号線ＧＬを短絡した短絡配線（静電気破壊防止用配線）、ＤＳＷは各映像信号線ＤＬを短絡した短絡配線、ＳＰは各外部端子ＧＰ、ＤＰと短絡配線ＧＳＷ、ＤＳＷとをつなぐ接続部、ＥＤは短絡配線ＧＳＷとＤＳＷとを微小な間隙を隔てて接近させて構成した放電部、・・・・である。」（第１０頁左下欄第１７行〜右下欄第１５行）
３．対比                                   
　そこで、本願発明と引用例１に記載のものとを対比すると、引用例１に記載のものにおける「行線」、「列線」、「交点位置」、「ソース」、「ゲート」、「ドレイン」、「マトリクス状」、「短絡線」、「保護機能を有するインピーダンス素子」、「薄膜トランジスタを用いたアクティブマトリクス基板」は、それぞれ「アドレス配線」、「データ配線」、「交差部」、「ソース電極」、「ゲート電極」、「ドレイン電極」、「マトリックス状」、「短絡用配線」、「保護素子」、「薄膜トランジスタアレイ」に相当し、引用例１に記載のものにおいて、短絡線が基板上で各行線の端子及び各列線の端子より内側に形成されていることは明らかであり、また、ダイオード対は非線形抵抗特性を有するので、本願発明と引用例１に記載のものとは、「基板上の、互いに交差させて配置した複数のアドレス配線と複数のデータ配線の各交差部に、薄膜トランジスタと、該薄膜トランジスタのソース電極とドレイン電極とのいずれか一方に接続された表示電極とがマトリックス状に配置され、前記薄膜トランジスタのゲート電極に前記アドレス配線が、ソース電極とドレイン電極の他方にデータ配線が夫々接続された薄膜トランジスタアレイにおいて、前記複数のアドレス配線の各アドレス配線端子及び前記複数のデータ配線のデータ配線端子より内側に形成された短絡用配線と、前記短絡用配線に前記複数のアドレス配線と前記複数のデータ配線とをそれぞれ接続するための非線形抵抗特性を持つ保護素子とを具備する薄膜トランジスタアレイ」であることにおいて共通するが、次の点において相違する。
ａ．本願発明において、短絡用配線が複数の表示電極を配列した表示領域の外側であって、且つ複数のアドレス配線の各アドレス配線端子及び複数のデータ配線の各データ配線端子より内側に形成されているのに対し、引用例１に記載のものにおいては、短絡線が各行線の端子及び各列線の端子の内側に形成されていることは明らかであるが、複数の表示電極を配列した表示領域の外側に形成されることについては記載されていない点。
ｂ．本願発明において、基板の周辺近傍に位置し、複数のアドレス配線のみを相互に短絡するアドレス配線短絡導体帯と、基板の周辺近傍に位置し、複数のデータ配線のみを相互に短絡するデータ配線短絡導体帯とを具備するのに対し、引用例に記載のものにおいては、このような短絡導体帯を具備することについて記載されていない点。
４．当審の判断
　次に、前記相違点ａ及びｂについて検討する。
相違点ａについて：
　引用例１に記載のものにおける短絡線は特に表示領域の内側あるいは境界上に設けられる必要はなく、インピーダンス素子を介して各行線及び各列線とに接続されるのであればいずれの位置にも設けられるものであり、また、インピーダンス素子及び短絡線は表示素子による表示作用に直接関わらないことからすれば、むしろ表示領域の内側でなく、外側に設けるべきものである。一方、引用例１の第１図及び第５図に示される例において、スイッチング素子Ｃ１１，Ｃ１２，・・・・の各々に表示電極が対応して設けられ、その全体が表示領域を形成すると考えると、引用例１に記載のものにおいても、短絡線が表示領域の外側に設けられるのは当然のことである。
　そうすると、相違点ａは何ら格別な技術的特徴を与えるものではない。
相違点ｂについて：
　引用例２に記載のものにおいては、各走査信号線ＧＬが短絡配線ＧＳＷに接続され、各映像信号線ＤＬが短絡配線ＤＳＷに接続され、短絡配線ＧＳＷとＤＳＷとは電気的に接続されていない。この走査信号線ＧＬ、短絡配線ＧＳＷ、映像信号線ＤＬ、短絡配線ＤＳＷは、それぞれ本願発明におけるアドレス配線、アドレス配線導体帯、データ配線、データ配線導体帯に相当する。また、引用例に記載のものにおける短絡配線ＧＳＷは複数の走査信号線ＧＬのみを相互に短絡し、短絡配線ＤＳＷは複数の映像信号線のみを相互に短絡しており、短絡配線ＧＳＷ、ＤＳＷはいずれも透明基板の周辺近傍に位置するものであるので、引用例２に記載のものにおける短絡配線ＧＳＷ及びＤＳＷはそれぞれ本願発明におけるアドレス配線短絡導体帯及びデータ配線短絡導体帯と構成上同等のものであり、製造工程中の絶縁破壊を防止するためのものであるという作用面においても同等である。一方、従来アクイブマトリクス型表示装置の製造の際に絶縁破壊が生ずる虞れが大きく、基板外周に短絡線を巡らして行線および列線をこの短絡線に短絡させ、製造後に基板を切断して短絡線のある基板外周部分を除去して、静電気対策用の短絡線を切り離す際またはその後の静電気に対して不十分であるとの知見に基づき、引用例１に記載のものにおいては、基板外周部分の切断後にも短絡線が残るようにしたものであり、基板の切断により除去される基板外周部分に短絡線が配置されているか否かは明記されてはいないが、「短絡線を切離す際」の問題点に言及していることからすれば、従来の短絡配線が基板外周部分に配置されていることは当然考慮されることであり、引用例１に記載のものにおいて、短絡線が基板外周部分に配置されることを排除する根拠は全くない。
　そして、そのような基板外周部分の短絡線を配置する際に、引用例２に記載されるような、アドレス配線、データ配線毎に短絡する短絡線を用いることも適宜考慮し得るところである。それゆえ、相違点ｂもまた格別な技術的特徴を与えるものではない。
　また、相違点ａ及びｂを総合しても、格別な作用効果を奏する構成上の特徴があたえられるものではない。
５．むすび
　以上のとおりであるから、本願発明は、引用例１及び２に各々記載された発明に基づいて当業者が容易に発明をすることができたものと認められるから、特許法第２９条第２項の規定により特許を受けることができない。
　よって、結論のとおり審決する。